(57)【要約】【課題】携帯に便利、且つ人体のツボ位置を確実に探し出し、同時にマッサージを行うツボマッサージ器を提供する。【解決手段】ツボマッサージ器は、ケーシング、金属探測ヘッド及びケーシング内部に設置した制御回路板から構成される。ケーシング上には、使用者が指で押す導電突起が設置される。金属探測ヘッドはケーシング前端に突出して設置される。また制御回路板は比較回路及びＭＰＵが設置され、その比較回路内には参考電圧値が記憶される。回路板はケーシングの導電突起及び金属探測ヘッドと電気的に連接し、金属探測ヘッドが人体各部位に接触した時に計測した電圧値と内部に記憶された参考電圧値を比較し、ツボ位置を探知する。探知と同時に回路板のＭＰＵから低周波パルスが出力され、ツボをマッサージする。このツボマッサージ器は片手操作が簡易である。【選択図】図１
0003104592.tif 000002
【実用新案登録請求の範囲】
【請求項１】
上ケーシング及び下ケーシングが相互に結合して一体となり、使用者が指で押す導電突起が設けられたケーシングと、
ケーシング前端に突出して設けられて人体各部に接触する金属探測ヘッドと、
比較回路及びＭＰＵが設けられて、その比較回路内には参考電圧値が記憶され、ケーシングの導電突起と金属探測ヘッドに電気的に接続する制御回路板から構成されたツボマッサージ器において、
金属探測ヘッドが接触した人体各部を計測した電圧値と、内部に記憶した参考電圧値を比較して人体のツボ位置を検出し、同時に回路板のＭＰＵが低周波パルスを出力してツボをマッサージすることを特徴とするツボマッサージ器。
【請求項２】
前記ツボマッサージ器は、ブザー、調整ダイアル及び二個の指示ランプを備え、二個の指示ランプはケーシング外部から露出し、金属探測ヘッドがツボ位置を感知すると、その指示ランプのひとつが光り、ＭＰＵが低周波パルス及び高周波パルスを出力し、低周波パルスはツボをマッサージし、高周波パルスがブザーから音声を出力するよう構成し、上記調整ダイアルはケーシング外部に露出して使用者が手で調整可能とし、その調整ダイアルは制御回路に対してＭＰＵの低周波パルスの大きさを調整し、更にツボマッサージの振動量を制御するようにしてなることを特徴とする請求項１記載のツボマッサージ器。
【請求項３】
前記ケーシングは、ペン型の形態をなすことを特徴とする請求項１記載のツボマッサージ器。
【請求項４】
前記ツボマッサージ器は、ヘッドカバーを含み、ケーシング前端に被せて金属探測ヘッドを保護してなることを特徴とする請求項１記載のツボマッサージ器。
【請求項５】
前記ケーシングは、楕円形で、片手で完全に握ることを可能としてなることを特徴とする請求項１記載のツボマッサージ器。
【考案の詳細な説明】
【技術分野】
【０００１】
本考案は、ツボマッサージ器に関するもので、携帯に便利、且つ人体のツボ位置を確実に探知し、同時にマッサージを行うものである。
【背景技術】
【０００２】
身体疲労を解消するため、市場に様々な運動器具が出回っており、一般的なマッサージ器は、人のツボに刺激を与え、筋肉の凝りを和らげて疲労を解消するものである。
【０００３】
図８に示すものは、公知のツボマッサージペンＡで、このマッサージペンＡは操作時、親指でヘッドＢを押す。このヘッドＢは、スイッチＣと連動しており、放電体Ｄの放電端子Ｅから放電し、金属連動桿Ｆによって導電触圧ヘッドＧへ伝わる。この導電触圧ヘッドＧが人体の表皮を押圧すると、刺激を与えたり、ツボに刺激を与えたりする。上述のマッサージペンＡには、マッサージ効果はあるが、一般の使用者は人体の経絡に詳しくないため、ツボの位置を確定した後、手動操作によってそのツボをマッサージする。
【特許文献１】特開２０００−３７４３７号公報
【考案の開示】
【考案が解決しようとする課題】
【０００４】
解決しようとする問題点は、一般の使用者では、ツボ部位を確実に探し出し、即座にマッサージできない点である。
【課題を解決するための手段】
【０００５】
本考案は、ケーシング、金属探測ヘッド及びケーシング内部に設置した制御回路板から構成される。ケーシング上には、使用者が指で押す導電突起が設置される。金属探測ヘッドはケーシング前端に突出して設置される。また制御回路板は比較回路及びＭＰＵが設置され、その比較回路内には参考電圧値が記憶される。回路板はケーシングの導電突起及び金属探測ヘッドと電気的に接続し、金属探測ヘッドが人体各部位に接触した時に計測した電圧値と、内部に記憶された参考電圧値を比較し、ツボ位置を探知する。探知と同時に回路板のＭＰＵから低周波パルスが出力され、ツボをマッサージする。このツボマッサージ器は片手操作が簡易であることを最も主要な特徴とする。
【考案の効果】
【０００６】
本考案のツボマッサージ器は、下述の利点がある。
本考案に設置した回路板には参考電圧値が記憶され、人体接触部位から測定した電圧値を金属探測ヘッドが比較し、人体部位の電圧値が参考電圧値より低い時、ツボ位置を確定する。これによってツボを探す時間を減らし、迅速且つ確実な計測によってツボ位置をマッサージする。
使用時、金属探測ヘッド、制御回路板の回路を封鎖し、人体ツボ位置を感知すると同時に、回路板から低周波パルスを出力してツボをマッサージし、感知及びツボのマッサージを完全自動化する。
本考案はペン型または楕円型で、片手で確実に握り、操作が便利で携帯しやすい。
【考案を実施するための最良の形態】
【０００７】
［実施例１］
図１、２に示すとおり、本考案は、ケーシング２、金属探測ヘッド３、ケーシング内部に設置された制御回路板４から構成される。
【０００８】
ケーシング２は、ペン型で、上ケーシング２１及び下ケーシング２２を含む。このケーシング２前端には挟持台２３が成形され、ケーシング２左右両側には左右対称に円弧形凹部２４、２４´が形成される。この二つの凹部２４、２４´には各々複数個の欠切口２５、２５´が形成される。また、ケーシング２左右両側にはそれぞれ固定板２６、２６´が設置され、その固定板２６、２６´の対応する一側面には複数個の凸形掛合突起２７、２７´が設置される。この凸形掛合突起２７、２７´が各々円弧形凹部２４、２４´の欠切口２５，２５´と嵌合し、ケーシング２の上ケーシング２１及び下ケーシング２２を相互に結合する。更に上述の上ケーシング２１上端には複数個の貫通孔２１１が貫設され、その貫通孔２１１は導電突起２８に結合し、二つの貫通孔２１１にはそれぞれ異なるパターンの選択機能を具えた制御ダイアル２９を結合する。
【０００９】
この金属探測ヘッド３はケーシング２前端の挟持台２３内に固定する。この金属探測ヘッド２３の一端は、ケーシング２内部に設置し、金属探測ヘッド３の別端は外に突出し、人体各部位と接触する。
【００１０】
制御回路板４は、ケーシング２内部に設置され、ケーシング２上の導電突起２８及び金属探測ヘッド３と電気的に接続する。制御回路板４には、制御回路４１(図３参照)が設置され、この制御回路４１は比較回路４２及びＭＰＵ４３から構成され、この比較回路４２内には参考電圧値４２１が記憶されている。この参考電圧値４２１は人体のツボ位置の参考抵抗値４２２から計算されている(図４参照)。また、この回路板４には調整ダイアル４４及び二個の指示ランプ４５が設置されている。この二個の指示ランプ４５は、ケーシング２上の上ケーシング２１外部から突出し、それぞれ異なる運転状態を表示する。また調整ダイアル４４は、ケーシング２の上ケーシング２１外部に一部出ており、使用者が手動で調節する。
【００１１】
図４、５に示すとおり、本考案を使用する時、使用者が片手の指でケーシング２の導電突起２８を押し、金属探測ヘッド３と人体５の一部を接触させる。この時、金属探測ヘッド３、制御回路板４と人体５の間の回路が形成される。金属探測ヘッド３が人体５部位に接触すると、部位の抵抗値５１が測定され、制御回路板４上の制御回路４１が同時にツボ位置の電圧値５２に転換する。金属探測ヘッド３の人体５に接触した部位の電圧値５２が、回路板４上に記憶された参考電圧値４２１よりも低い場合、そこが人体５のツボ位置であると確定する。ツボ位置を感知した時、ケーシング２外部の指示ランプ４５が光り、回路板４のＭＰＵ４３が同時に低周波及び高周波パルスを出力する。低周波パルスがツボのマッサージを行い、高周波パルスによってブザー６が鳴る。ケーシング２上の調整ダイアル４４は手動で回転し、ＭＰＵ４３の低周波パルスの大きさを調節し、ツボマッサージの振動量をコントロールする。
【００１２】
図６に示すとおり、別にヘッドカバー７を設置し、ケーシング２前端に被せて金属探測ヘッド３を保護する。
［実施例２］
図７に示すとおり、本考案ツボマッサージ器の第二実施例で、ケーシング８が楕円形で、導電突起８１が後端に設置され、片手で完全に握ることができる。
【図面の簡単な説明】
【００１３】
【図１】本考案第一実施例の立体外観図である。
【図２】本考案第一実施例の部品分解図である。
【図３】本考案第一実施例の制御回路板の回路図である。
【図４】本考案第一実施例の使用時の回路の流れ説明図である。
【図５】本考案第一実施例の使用状態図である。
【図６】本考案第一実施例にヘッドカバーを設置下立体分解図である。
【図７】本考案第二実施例の立体外観図である。
【図８】公知のツボマッサージペンの組立断面図である。
【符号の説明】
【００１４】
Ａ        ツボマッサージペン
Ｂ        ヘッド
Ｃ        スイッチ
Ｄ        放電体
Ｅ        放電端子
Ｆ        連動桿
Ｇ        放電触圧ヘッド
１        ツボマッサージ器
２        ケーシング
２１        上ケーシング
２１１        貫通孔
２２        下ケーシング
２３        挟持台
２４        円弧形凹部
２４´      円弧形凹部
２５        欠切口
２５´      欠切口
２６        固定板
２６´      固定板
２７        掛合突起
２７´      掛合突起
２８        導電突起
２９        制御ダイアル
３        金属探測ヘッド
４        制御回路板
４１        制御回路
４２        比較回路
４２１        参考電圧値
４２２        ツボ位置参考抵抗値
４３        ＭＰＵ
４４        調整ダイアル
４５        指示ランプ
５        人体
５１        人体ツボ位置計測抵抗値
５２        人体ツボ位置計測電圧値
６        ブザー
７        ヘッドカバー
８        ケーシング
８１        導電突起
【図１】
0003104592.tif 000003
【図２】
0003104592.tif 000004
【図３】
0003104592.tif 000005
【図４】
0003104592.tif 000006
【図５】
0003104592.tif 000007
【図６】
0003104592.tif 000008
【図７】
0003104592.tif 000009
【図８】
0003104592.tif 000010